(57)【要約】【課題】一層アップグレードされたディスプレイ装置及びユーザー環境を提供する【解決手段】本発明の実施形態によるディスプレイ装置は、ディスプレイ部と；映像供給源から受信される映像信号を既設定された映像処理プロセスに従って処理してディスプレイ部に映像で表示する映像処理部と；映像処理プロセス時に参照される設定情報が保存された保存部と；映像処理プロセスをアップグレードするように設けられたアップグレード装置が接続される接続部と；アップグレード装置が接続部に接続されればアップグレード装置に保存された設定情報及び保存部に保存された設定情報の中で何れか一つを選択可能に設けられたＵＩ映像がディスプレイ部に表示されるように制御し、ＵＩ映像を通じて選択される設定情報に従ってアップグレード装置によるアップグレードが行なわれるように制御する制御部と；を含むことを特徴とする。【選択図】図７
2013140571.tif 000002
【特許請求の範囲】
【請求項１】
ディスプレイ装置において、
ディスプレイ部と；
映像供給源から受信される映像信号を既設定された映像処理プロセスに従って処理して前記ディスプレイ部に映像で表示する映像処理部と；
前記映像処理プロセス時に参照される設定情報が保存された保存部と；
前記映像処理プロセスをアップグレードするように設けられたアップグレード装置が接続される接続部と；
前記アップグレード装置が前記接続部に接続されれば前記アップグレード装置に保存された設定情報及び前記保存部に保存された設定情報の中で何れか一つを選択可能に設けられたＵＩ映像が前記ディスプレイ部に表示されるように制御し、前記ＵＩ映像を通じて選択される前記設定情報に従って前記アップグレード装置によるアップグレードが行なわれるように制御する制御部と；
を含むことを特徴とするディスプレイ装置。
【請求項２】
前記アップグレード装置は、前記映像処理プロセスの中で少なくとも一部の第１プロセスに対応する第２プロセスを行なうことが可能であり、
前記制御部は、前記接続部に対する前記アップグレード装置の接続時に前記映像処理部による前記第１プロセスを代えて前記アップグレード装置による第２プロセスが行なわれるように制御することを特徴とする請求項１に記載のディスプレイ装置。
【請求項３】
前記制御部は、前記アップグレード装置に保存された設定情報が前記保存部に保存された設定情報と異なると判断すれば前記ＵＩ映像を表示することを特徴とする請求項１に記載のディスプレイ装置。
【請求項４】
前記制御部は、前記アップグレード装置に保存された設定情報が前記保存部に保存された設定情報と同じだと判断すれば前記アップグレード装置に保存された前記設定情報に基づいて前記アップグレード装置によるアップグレードが行なわれるように制御することを特徴とする請求項３に記載のディスプレイ装置。
【請求項５】
前記制御部は、前記アップグレード装置に前記設定情報が保存されていないと判断すれば前記保存部に保存された前記設定情報に基づいて前記アップグレード装置によるアップグレードが行なわれるように制御することを特徴とする請求項１に記載のディスプレイ装置。
【請求項６】
前記設定情報は、ユーザープロファイル情報、前記ディスプレイ装置の環境設定値、アプリケーション、チャンネル目録の中で少なくとも何れか一つを含むことを特徴とする請求項１に記載のディスプレイ装置。
【請求項７】
ディスプレイ装置のアップグレード装置において、
映像供給源から受信される映像信号を既設定された映像処理プロセスに従って処理して映像で表示する前記ディスプレイ装置に接続する接続部と；
前記接続部に前記ディスプレイ装置が接続されれば、前記映像処理プロセスをアップグレードさせて処理する映像処理部と；
前記映像処理プロセス時に参照される設定情報が保存された保存部と；
前記ディスプレイ装置が前記接続部に接続されれば前記保存部に保存された設定情報及び前記ディスプレイ装置に保存された設定情報の中で何れか一つに保存された前記設定情報を選択可能に設けられたＵＩ映像が前記ディスプレイ装置に表示されるように制御し、前記ＵＩ映像を通じて選択される前記設定情報に従って前記アップグレード装置によるアップグレードが行なわれるように制御する制御部と；
を含むことを特徴とするアップグレード装置。
【請求項８】
前記映像処理部は、前記映像処理プロセスの中で少なくとも一部の第１プロセスに対応する第２プロセスを行なうことが可能であり、
前記制御部は、前記接続部に対する前記ディスプレイ装置の接続時に前記ディスプレイ装置による前記第１プロセスを代えて、前記映像処理部による第２プロセスが行なわれるように制御することを特徴とする請求項７に記載のアップグレード装置。
【請求項９】
前記制御部は、前記保存部に保存された設定情報が前記ディスプレイ装置に保存された設定情報と異なると判断すれば前記ＵＩ映像を表示することを特徴とする請求項７に記載のアップグレード装置。
【請求項１０】
前記制御部は、前記保存部に保存された設定情報が前記ディスプレイ装置に保存された設定情報と同じだと判断すれば前記保存部に保存された前記設定情報に基づいて前記映像処理部によるアップグレードが行なわれるように制御することを特徴とする請求項９に記載のアップグレード装置。
【請求項１１】
前記制御部は、前記保存部に前記設定情報が保存されていないと判断すれば前記ディスプレイ装置に保存された前記設定情報に基づいて前記映像処理部によるアップグレードが行なわれるように制御することを特徴とする請求項７に記載のアップグレード装置。
【請求項１２】
前記設定情報は、ユーザープロファイル情報、前記ディスプレイ装置の環境設定値、アプリケーション、チャンネル目録の中で少なくとも何れか一つを含むことを特徴とする請求項７に記載のアップグレード装置。
【請求項１３】
ディスプレイ装置の制御方法において、
映像供給源から受信される映像信号を既設定された映像処理プロセスに従って処理して映像で表示する段階と；
前記映像処理プロセスをアップグレードするように設けられたアップグレード装置が接続されれば、前記映像処理プロセス時に参照される設定情報に対して前記アップグレード装置に保存された前記設定情報及び前記ディスプレイ装置に保存された前記設定情報の中で何れか一つを選択可能に設けられたＵＩ映像を表示する段階と；
前記ＵＩ映像を通じて選択される前記設定情報に従って前記アップグレード装置によるアップグレードを行なう段階と；
を含むことを特徴とするディスプレイ装置の制御方法。
【請求項１４】
ディスプレイ装置のアップグレード装置の制御方法において、
映像供給源から受信される映像信号を既設定された映像処理プロセスに従って処理して映像で表示する前記ディスプレイ装置に接続する段階と；
前記映像処理プロセス時に参照される設定情報に対して、前記アップグレード装置に保存された前記設定情報及び前記ディスプレイ装置に保存された前記設定情報の中で何れか一つを選択可能に設けられたＵＩ映像を前記ディスプレイ装置に表示する段階と；
前記ＵＩ映像を通じて選択される前記設定情報に基づいて前記映像処理プロセスをアップグレードさせて、処理する段階と；
を含むことを特徴とするアップグレード装置の制御方法。
【発明の詳細な説明】
【技術分野】
【０００１】
本発明は、映像供給源から提供される映像信号を既設定された映像処理プロセスに従って処理して映像で表示するディスプレイ装置、このディスプレイ装置をアップグレードするアップグレード装置、このようなディスプレイ装置とアップグレード装置を含むディスプレイシステム及びこの制御方法（ＤＩＳＰＬＡＹ  ＡＰＰＡＲＡＴＵＳ、ＵＰＧＲＡＤＩＮＧ  ＡＰＰＡＲＡＴＵＳ、ＤＩＳＰＬＡＹ  ＳＹＳＴＥＭ  ＡＮＤ  ＣＯＮＴＲＯＬ  ＭＥＴＨＯＤ  ＯＦ  ＴＨＥ  ＳＡＭＥ）に係り、さらに詳しくは、ディスプレイ装置及びアップグレード装置の接続時にアップグレードに参照される環境設定情報の適用構造を改善したディスプレイ装置、このディスプレイ装置をアップグレードするアップグレード装置、このようなディスプレイ装置とアップグレード装置を含むディスプレイシステム及びこの制御方法に関する。
【背景技術】
【０００２】
一般的に、ディスプレイ装置は、外部の多様な映像供給源から伝送されたり、または自体的に保存されている映像信号／映像データを処理して、自体具備したディスプレイパネル上に映像で表示する装置である。一般ユーザーに提供されるディスプレイ装置の具現例示としては、ＴＶまたはモニタ等があり、例えば、ＴＶで具現されたディスプレイ装置は外部から受信される放送信号をデコーディング、スケーリング等のような多様な映像処理プロセスを通じてユーザーの望む放送チャンネルの映像を提供する。
【０００３】
ディスプレイ装置は、このような映像処理プロセスを行なうように多様なチップセット、メモリーなどを含む回路構成で具現された映像処理ボードを内蔵する。ところで、技術の発達、ユーザーの要求に応ずる対応、便宜性の向上など多様な要因により、ディスプレイ装置に要求される能力は深化及び拡張されている傾向である。このようなディスプレイ装置の機能向上、即ちアップグレード（ｕｐｇｒａｄｅ）のためにはハードウェアの側面と、ソフトウェアの側面を考慮することができる。
【０００４】
ところで、ハードウェアの観点でディスプレイ装置のアップグレードは、ディスプレイ装置に内蔵された映像処理ボードの全体または少なくとも一部を物理的に交替しなければならないので、 製造側面でも使用側面でも容易でない。ソフトウェアの観点で見ても、一層発展したソフトウェアを駆動するためにはこれに対応するように設計されたハードウェアを必要とするので、結局に、一般ユーザーとしてはアップグレードされたディスプレイ装置を新しく購入する負担を有することになる。
【発明の概要】
【発明が解決しようとする課題】
【０００５】
従って、本発明の目的は、一層アップグレードされたディスプレイ装置及びユーザー環境を提供することを目的とする。
【課題を解決するための手段】
【０００６】
本発明の実施形態によるディスプレイ装置は、ディスプレイ部と；映像供給源から受信される映像信号を既設定された映像処理プロセスに従って処理して前記ディスプレイ部に映像で表示する映像処理部と；前記映像処理プロセス時に参照される設定情報が保存された保存部と；前記映像処理プロセスをアップグレードするように設けられたアップグレード装置が接続される接続部と；前記アップグレード装置が前記接続部に接続されれば前記アップグレード装置に保存された設定情報及び前記保存部に保存された設定情報の中で何れか一つを選択可能に設けられたＵＩ映像が前記ディスプレイ部に表示されるように制御し、前記ＵＩ映像を通じて選択される前記設定情報に従って前記アップグレード装置によるアップグレードが行なわれるように制御する制御部と；を含むことを特徴とする。
【０００７】
ここで、前記アップグレード装置は、前記映像処理プロセスの中で少なくとも一部の第１プロセスに対応する第２プロセスを行なうことが可能であり、前記制御部は、前記接続部に対する前記アップグレード装置の接続時に前記映像処理部による前記第１プロセスを代えて、前記アップグレード装置による第２プロセスが行なわれるように制御することができる。
【０００８】
また、前記制御部は、前記アップグレード装置に保存された設定情報が前記保存部に保存された設定情報と異なると判断すれば前記ＵＩ映像を表示することができる。
【０００９】
ここで、前記制御部は、前記アップグレード装置に保存された設定情報が前記保存部に保存された設定情報と同じだと判断すれば前記アップグレード装置に保存された前記設定情報に基づいて前記アップグレード装置によるアップグレードが行なわれるように制御することができる。
【００１０】
ここで、前記制御部は、前記アップグレード装置に前記設定情報が保存されていないと判断すれば前記保存部に保存された前記設定情報に基づいて前記アップグレード装置によるアップグレードが行なわれるように制御することができる。
【００１１】
また、前記設定情報は、ユーザープロファイル情報、前記ディスプレイ装置の環境設定値、アプリケーション、チャンネル目録の中で少なくとも何れか一つを含むことができる。
【００１２】
また、本発明の実施形態によるディスプレイ装置のアップグレード装置は、映像供給源から受信される映像信号を既設定された映像処理プロセスに従って処理して映像で表示する前記ディスプレイ装置に接続する接続部と；前記接続部に前記ディスプレイ装置が接続されれば、前記映像処理プロセスをアップグレードさせて処理する映像処理部と；前記映像処理プロセス時に参照される設定情報が保存された保存部と；前記ディスプレイ装置が前記接続部に接続されれば前記保存部に保存された設定情報及び前記ディスプレイ装置に保存された設定情報の中で何れか一つに保存された前記設定情報を選択可能に設けられたＵＩ映像が前記ディスプレイ装置に表示されるように制御し、前記ＵＩ映像を通じて選択される前記設定情報に従って前記アップグレード装置によるアップグレードが行なわれるように制御する制御部と；を含むことを特徴とする。
【００１３】
ここで、前記映像処理部は、前記映像処理プロセスの中で少なくとも一部の第１プロセスに対応する第２プロセスを行なうことが可能であり、前記制御部は、前記接続部に対する前記ディスプレイ装置の接続時に前記ディスプレイ装置による前記第１プロセスを代えて前記映像処理部による第２プロセスが行なわれるように制御することができる。
【００１４】
また、前記制御部は、前記保存部に保存された設定情報が前記ディスプレイ装置に保存された設定情報と異なると判断すれば前記ＵＩ映像を表示することができる。
【００１５】
ここで、前記制御部は、前記保存部に保存された設定情報が前記ディスプレイ装置に保存された設定情報と同じだと判断すれば前記保存部に保存された前記設定情報に基づいて前記映像処理部によるアップグレードが行なわれるように制御することができる。
【００１６】
また、前記制御部は、前記保存部に前記設定情報が保存されていないと判断すれば前記ディスプレイ装置に保存された前記設定情報に基づいて、前記映像処理部によるアップグレードが行なわれるように制御することができる。
【００１７】
また、前記設定情報は、ユーザープロファイル情報、前記ディスプレイ装置の環境設定値、アプリケーション、チャンネル目録の中で少なくとも何れか一つを含むことができる。
【００１８】
また、本発明の実施形態によるディスプレイ装置の制御方法は、映像供給源から受信される映像信号を既設定された映像処理プロセスに従って処理して映像で表示する段階と；前記映像処理プロセスをアップグレードするように設けられたアップグレード装置が接続されれば、前記映像処理プロセス時に参照される設定情報に対して前記アップグレード装置に保存された前記設定情報及び前記ディスプレイ装置に保存された前記設定情報の中で何れか一つを選択可能に設けられたＵＩ映像を表示する段階と；前記ＵＩ映像を通じて選択される前記設定情報に従って前記アップグレード装置によるアップグレードを行なう段階と；を含むことを特徴とする。
【００１９】
ここで、前記アップグレード装置は、前記映像処理プロセスの中で少なくとも一部の第１プロセスに対応する第２プロセスを行なうことが可能であり、前記アップグレード装置の接続時に前記ディスプレイ装置による前記第１プロセスを代えて、前記アップグレード装置による第２プロセスが行なわれるように制御する段階をさらに含むことができる。
【００２０】
また、前記ＵＩ映像を表示する段階は、前記アップグレード装置に保存された設定情報が前記ディスプレイ装置に保存された設定情報と異なると判断すれば前記ＵＩ映像を表示する段階を含むことができる。
【００２１】
ここで、前記ＵＩ映像を表示する段階は、前記アップグレード装置に保存された設定情報が前記ディスプレイ装置に保存された設定情報と同じだと判断すれば前記アップグレード装置に保存された前記設定情報に基づいて前記アップグレード装置によるアップグレードが行なわれるように制御する段階をさらに含むことができる。
【００２２】
また、前記ＵＩ映像を表示する段階は、前記アップグレード装置に前記設定情報が保存されていないと判断すれば前記ディスプレイ装置に保存された前記設定情報に基づいて前記アップグレード装置によるアップグレードが行なわれるように制御する段階を含むことができる。
【００２３】
また、前記設定情報は、ユーザープロファイル情報、前記ディスプレイ装置の環境設定値、アプリケーション、チャンネル目録の中で少なくとも何れか一つを含むことができる。
【００２４】
また、本発明の実施形態によるディスプレイ装置のアップグレード装置の制御方法は、映像供給源から受信される映像信号を既設定された映像処理プロセスに従って処理して映像で表示する前記ディスプレイ装置に接続する段階と；前記映像処理プロセス時に参照される設定情報に対して前記アップグレード装置に保存された前記設定情報及び前記ディスプレイ装置に保存された前記設定情報の中で何れか一つを選択可能に設けられたＵＩ映像を前記ディスプレイ装置に表示する段階と；前記ＵＩ映像を通じて選択される前記設定情報に基づいて前記映像処理プロセスをアップグレードさせて処理する段階と；を含むことを特徴とする。
【００２５】
ここで、前記アップグレード装置は、前記映像処理プロセスの中で少なくとも一部の第１プロセスに対応する第２プロセスを行なうことが可能であり、前記映像処理プロセスをアップグレードさせて処理する段階は、前記ディスプレイ装置の接続時に前記ディスプレイ装置による前記第１プロセスを代えて前記アップグレード装置による第２プロセスが行なわれるように制御する段階を含むことができる。
【００２６】
また、前記ＵＩ映像を表示する段階は、前記アップグレード装置に保存された前記設定情報が前記ディスプレイ装置に保存された前記設定情報と異なると判断すれば前記ＵＩ映像を表示する段階を含むことができる。
【００２７】
ここで、前記ＵＩ映像を表示する段階は、前記アップグレード装置に保存された前記設定情報が前記ディスプレイ装置に保存された前記設定情報と同じだと判断すれば前記アップグレード装置に保存された前記設定情報に基づいて前記アップグレード装置によるアップグレードが行なわれるように制御する段階を含むことができる。
【００２８】
また、前記アップグレード装置に前記設定情報が保存されていないと判断すれば前記ディスプレイ装置に保存された前記設定情報に基づいて前記アップグレード装置によるアップグレードが行なわれるように制御する段階をさらに含むことができる。
【００２９】
また、前記設定情報は、ユーザープロファイル情報、前記ディスプレイ装置の環境設定値、アプリケーション、チャンネル目録の中で少なくとも何れか一つを含むことができる。
【００３０】
また、本発明の実施形態によるディスプレイシステムは、ディスプレイ部と、映像供給源から受信される映像信号を既設定された映像処理プロセスに従って処理して前記ディスプレイ部に映像で表示する映像処理部を含むディスプレイ装置と；既設定された設定情報に基づいて前記映像処理プロセスをアップグレードするように前記ディスプレイ装置に接続され、アップグレードされた前記映像処理プロセスに従って前記映像信号を処理するアップグレード装置と；を含み、前記アップグレード装置が前記ディスプレイ装置に接続されれば、前記アップグレード装置に保存された前記設定情報及び前記ディスプレイ装置に保存された前記設定情報の中で何れか一つを選択可能に設けられたＵＩ映像が前記ディスプレイ部に表示され、前記ＵＩ映像を通じて選択される前記設定情報に従って前記アップグレード装置によるアップグレードが行なわれることを特徴とする。
【発明の効果】
【００３１】
前述のように、本発明によれば、アップグレード装置が互いに異なるディスプレイ装置に交替接続されても、アップグレード装置で提供する使用環境を各ディスプレイ装置に共通的に提供することができる。また、ＵＩ映像を提供することによって、アップグレード装置または各ディスプレイ装置が提供する環境をユーザーに選択するようにすることができる。
【図面の簡単な説明】
【００３２】
【図１】本発明の実施形態によるディスプレイシステムの例示図である。
【図２】図１のディスプレイシステムの構成ブロック図である。
【図３】図１のディスプレイシステムで、ディスプレイ装置の映像処理プロセスをアップグレード装置によってアップグレードする方法を示す例示図である。
【図４】図１のディスプレイシステムで、ディスプレイ装置の映像処理プロセスをアップグレード装置によってアップグレードする方法を示す例示図である。
【図５】図１のアップグレード装置が二つのディスプレイ装置に選択的に接続される場合を示す図である。
【図６】図１のアップグレード装置による第１ディスプレイ装置のアップグレードの間に変更される環境設定情報を保存する方法を示す制御フローチャートである。
【図７】図１のアップグレード装置による第２ディスプレイ装置のアップグレードのために環境設定情報を選択する方法を示す制御フローチャートである。
【図８】図１のディスプレイシステムで表示されるＵＩ映像の例示図である。
【発明を実施するための形態】
【００３３】
以下、添付図面を参照して本発明に対して詳しく説明する。以下の実施形態では、本発明の思想と直接的に関連のある構成に関してだけ説明し、その他の構成に関しては説明を省略する。しかし、本発明の思想が適用された装置またはシステムを具現することにおいて、このように説明が省略された構成が不必要を意味することではないことを明らかにする。
【００３４】
図１は本発明の実施形態によるディスプレイシステム１の例示図である。
【００３５】
図１に示すように、本実施形態によるディスプレイシステム１は、外部の映像供給源(図示せず）から提供される映像信号を既設定された映像処理プロセスに従って処理して映像で表示するディスプレイ装置１００と、ディスプレイ装置１００のハードウェア／ソフトウェアをアップグレードさせるアップグレード装置２００と、を含む。
【００３６】
本実施形態のシステム１でディスプレイ装置１００は、放送局の送出装備から受信される放送信号／放送情報／放送データに基づく放送映像を表示するＴＶで具現される場合に対して説明する。しかし、本発明の思想はディスプレイ装置１００の具現例示に限られず、ディスプレイ装置１００はＴＶ以外にも映像を表示することができる多様な種類の具現例示が適用されることができる。
【００３７】
また、ディスプレイ装置１００は、表示可能な映像の種類が放送映像に限られず、例えばディスプレイ装置１００は、多様な形式の映像供給源(図示せず）から受信される信号／データに基づく動画、静止映像、アプリケーション（ａｐｐｌｉｃａｔｉｏｎ）、ＯＳＤ（ｏｎ−ｓｃｒｅｅｎ  ｄｉｓｐｌａｙ）、多様な動作制御のためのＧＵＩ（ｇｒａｐｈｉｃ  ｕｓｅｒ  ｉｎｔｅｒｆａｃｅ）等の映像を表示することができる。
【００３８】
アップグレード装置２００は、ディスプレイ装置１００と通信可能に接続される。アップグレード装置２００は、接続されたディスプレイ装置１００の既存ハードウェア／ソフトウェア構成をアップグレードし、アップグレードされたディスプレイ装置１００のハードウェア／ソフトウェア構成によって映像信号が処理されるようにすることによって、一層向上された画質の映像が表示されることができる。
【００３９】
アップグレード装置２００は、ディスプレイ装置１００に対して有線または無線で接続されることができるし、本実施形態によるアップグレード装置２００は、ディスプレイ装置１００に対して有線で接続されることによってアップグレード装置２００及びディスプレイ装置１００との間にデータ／情報／信号／電源が送受信されるようにする。アップグレード装置２００及びディスプレイ装置１００は、相互間の物理的／電気的接続のためのコネクター／端子構成１１０、２１０を各々含む。
【００４０】
または、アップグレード装置２００は、本実施形態の場合とは異なるように、無線でディスプレイ装置１００に接続されることもできるので、この場合にアップグレード装置２００は別途の外部電源またはバッテリーから動作電源が供給される。ただし、本実施形態ではアップグレード装置２００がディスプレイ装置１００に対して有線で接続される場合に関して説明する。
【００４１】
ディスプレイ装置１００は、外部から受信される映像信号を単独で既設定された映像処理プロセスに従って処理して映像で表示することができる。しかし、本実施形態によれば、ディスプレイ装置１００及びアップグレード装置２００の接続に従って前述の映像処理プロセスを行なうディスプレイシステム１のハードウェア／ソフトウェア構成がアップグレードされ、これに従って相対的に画質が向上された映像がユーザーに提供されることができる。
【００４２】
以下、ディスプレイ装置１００及びアップグレード装置２００の構成に対して図２を参照して説明する。図２は、ディスプレイシステム１を構成するディスプレイ装置１００及びアップグレード装置２００の構成ブロック図である。
【００４３】
図２に示すように、ディスプレイ装置１００は、少なくとも一つの映像供給源３００が接続される第１接続部１１０と、第１接続部１１０を通じて映像供給源３００から受信される映像信号を処理する第１映像処理部１２０と、第１映像処理部１２０により処理される映像信号を映像で表示するディスプレイ部１３０と、ユーザーの操作に従って既設定されたコマンドを出力するユーザー入力部１４０と、限定されないデータ／情報が保存される第１保存部１５０と、ディスプレイ装置１００の諸般構成の動作を制御する第１制御部１６０と、を含む。
【００４４】
第１接続部１１０は、少なくとも一つの映像供給源３００から受信される映像信号を第１映像処理部１２０に伝達し、受信される映像信号の規格や映像供給源３００及びディスプレイ装置１００の具現方式に対応して多様な方式を有する。例えば、第１接続部１１０は、ＨＤＭＩ（ｈｉｇｈ  ｄｅｆｉｎｉｔｉｏｎ  ｍｕｌｔｉｍｅｄｉａ  ｉｎｔｅｒｆａｃｅ）、ＵＳＢ、コンポーネント（ｃｏｍｐｏｎｅｎｔ）等の規格による信号／データを受信できるし、これらそれぞれの規格に対応する複数の接続端子(図示せず）を含む。このような各接続端子（図示せず）に映像供給源３００を始まる多様な外部装置が接続されることによって、第１接続部１１０を経由する通信が可能である。
【００４５】
即ち、第１接続部１１０に接続される外部装置は、映像供給源３００に限られず、第１接続部１１０を通じてディスプレイ装置１００との間に信号／データの送受信が可能な装置は第１接続部１１０に接続されることができるので、本実施形態によればアップグレード装置２００が第１接続部１１０に接続されることができる。
【００４６】
第１映像処理部１２０は、第１接続部１１０から受信される映像信号に対して既設定された多様な映像処理プロセスを行なう。第１映像処理部１２０は、このようなプロセスが行なわれる映像信号をディスプレイ部１３０に出力することによって、ディスプレイ部１３０に該当映像信号に基づく映像が表示されるようにする。
【００４７】
第１映像処理部１２０が行なう映像処理プロセスの種類は限られず、例えば所定信号を各特性別信号で分配するディマルチプレキシング（ｄｅ−ｍｕｌｔｉｐｌｅｘｉｎｇ）、映像信号の映像フォーマットに対応するデコーディング（ｄｅｃｏｄｉｎｇ）、インターレース（ｉｎｔｅｒｌａｃｅ）方式の映像信号をプログレッシブ（ｐｒｏｇｒｅｓｓｉｖｅ）方式で変換するディ−インタレーシング（ｄｅ−ｉｎｔｅｒｌａｃｉｎｇ）、映像信号を既設定された解像度で調整するスケーリング（ｓｃａｌｉｎｇ）、映像画質改善のためのノイズ減少（ｎｏｉｓｅ  ｒｅｄｕｃｔｉｏｎ）、ディテール強化（ｄｅｔａｉｌ  ｅｎｈａｎｃｅｍｅｎｔ）、フレーム リフレッシュ レート（ｆｒａｍｅ  ｒｅｆｒｅｓｈ  ｒａｔｅ）変換などを含むことができる。
【００４８】
第１映像処理部１２０は、このようなプロセスを行なうための多様なチップセット（図示せず）、メモリー（図示せず）、電子部品（図示せず）、配線（図示せず）等の回路構成が印刷回路基板（図示せず）上に実装された映像処理ボード（図示せず）で具現される。
【００４９】
ディスプレイ部１３０は、第１映像処理部１２０から出力される映像信号に基づいて映像を表示する。ディスプレイ部１３０の具現方式は限られず、液晶（ｌｉｑｕｉｄ  ｃｒｙｓｔａｌ）、プラズマ（ｐｌａｓｍａ）、発光ダイオード（ｌｉｇｈｔ−ｅｍｉｔｔｉｎｇ  ｄｉｏｄｅ）、有機発光ダイオード（ｏｒｇａｎｉｃ  ｌｉｇｈｔ−ｅｍｉｔｔｉｎｇ  ｄｉｏｄｅ）、面伝導電子銃（ｓｕｒｆａｃｅ−ｃｏｎｄｕｃｔｉｏｎ  ｅｌｅｃｔｒｏｎ−ｅｍｉｔｔｅｒ）、炭素ナノ チューブ（ｃａｒｂｏｎ  ｎａｎｏ−ｔｕｂｅ）、ナノ クリスタル（ｎａｎｏ−ｃｒｙｓｔａｌ）等の多様なディスプレイ方式で具現されることができる。
【００５０】
ディスプレイ部１３０は、その具現方式に従って付加的な構成を追加的に含むことができる。例えば、ディスプレイ部１３０が液晶方式である場合、ディスプレイ部１３０は、液晶ディスプレイパネル（図示せず）と、これに光を供給するバックライトユニット（図示せず）と、パネル（図示せず）を駆動させるパネル駆動基板（図示せず）と、を含む。
【００５１】
ユーザー入力部１４０は、ユーザーの操作及び入力によって、既設定された多様な制御コマンドまたは限られない情報を第１制御部１６０に伝達する。ユーザー入力部１４０は、ディスプレイ装置１００外側に設置されたメニューキー（ｍｅｍｕ−ｋｅｙ）及び入力パネル（ｐａｎｅｌ）や、ディスプレイ装置１００と分離離隔されたリモート コントローラー（ｒｅｍｏｔｅ  ｃｏｎｔｒｏｌｌｅｒ）等で具現される。
【００５２】
または、ユーザー入力部１４０は、ディスプレイ部１３０と一体型で具現されることができる。即ち、ディスプレイ部１３０がタッチスクリーン（ｔｏｕｃｈ−ｓｃｒｅｅｎ）である場合、ユーザーはディスプレイ部１３０に表示された入力メニュー（図示せず）を通じて既設定されたコマンドを第１制御部１６０に伝達することもできる。
【００５３】
第１保存部１５０は、第１制御部１６０の制御に従って限られないデータが保存される。第１保存部１５０は、フラッシュメモリー（ｆｌａｓｈ−ｍｅｍｏｒｙ）、ハードディスク ドライブ（ｈａｒｄ−ｄｉｓｃ  ｄｒｉｖｅ）のような非揮発性メモリーで具現される。第１保存部１５０は、第１制御部１６０によってアクセスされ、第１制御部１６０によるデータの読み取り／記録／修正／削除／更新などが行なわれる。
【００５４】
第１保存部１５０に保存されるデータは、例えばディスプレイ装置１００の駆動のための運営体制を初めとして、この運営体制上で実行可能な多様なアプリケーション、映像データ、付加データ等を含む。
【００５５】
第１制御部１６０は、ディスプレイ装置１００の多様な構成に対する制御動作を行なう。例えば、第１制御部１６０は、第１映像処理部１２０が処理する映像処理プロセスの進行、第１接続部１１０を通じる信号／情報／データの送受信動作、ユーザー入力部１４０からのコマンドに対する対応制御動作を行なうことによって、ディスプレイ装置１００の全体動作を制御する。
【００５６】
このような構成のディスプレイ装置１００は、使用時間が経過することによって、技術の発展を含む多様な要因によりアップグレードを必要とする。アップグレードを必要とする場合は、例えばディスプレイ装置１００の製造段階で提案されなかった新しいフォーマットの映像信号を受信する場合や、または高画質映像を要求するトレンドに従ってディスプレイ装置１００自体的に支援する水準以上の解像度を有する映像信号を受信する場合や、またはディスプレイ装置１００のシステム負荷をより軽減させようと思う場合など多様である。
【００５７】
このようなディスプレイ装置１００のアップグレードは、ハードウェア及びソフトウェアそれぞれの側面がある。本実施形態によれば、ディスプレイ装置１００をアップグレードするように設けられたアップグレード装置２００が第１接続部１１０に接続されることによって、ディスプレイ装置１００の既存ハードウェア構成及びソフトウェア構成の中で少なくとも何れか一つをアップグレードさせる。
【００５８】
アップグレード装置２００は、ディスプレイ装置１００が有するハードウェア／ソフトウェア資源の中で少なくとも一部の資源に対応するハードウェア／ソフトウェア構成を含む。アップグレード装置２００が含むこれらの構成は、ディスプレイ装置１００の前述した少なくとも一部の資源より向上された機能を行なうことができるように設けられる。アップグレード装置２００は、ディスプレイ装置１００に接続されれば、ディスプレイ装置１００の既存資源の中で少なくとも一部を代えることによって、最終的にディスプレイ装置１００で表示される映像の品質を向上させる。
【００５９】
以下、アップグレード装置２００の構成に対して説明する。
【００６０】
アップグレード装置２００は、ディスプレイ装置１００の第１接続部１１０に接続される第２接続部２１０と、第１映像処理部１２０の映像処理プロセスの中で少なくとも一部に対応するプロセスを処理可能な第２映像処理部２２０と、限られないデータ／情報が保存される第２保存部２５０と、アップグレード装置２００の諸般動作を制御する第２制御部２６０と、を含む。
【００６１】
第２接続部２１０は、第１接続部１１０に接続されることによってアップグレード装置２００及びディスプレイ装置１００との間の通信が可能にする。第２接続部２１０は、第１接続部１１０と接続するように第１接続部１１０に対応する規格に従って設けられ、第１接続部１１０の複数の接続端子（図示せず）の中で少なくとも一つ以上の接続端子（図示せず）に接続されることができる。
【００６２】
例えば、第２接続部２１０は、第１接続部１１０の複数の接続端子（図示せず）の中で、ディスプレイ装置１００及びアップグレード装置２００の間に映像信号が送受信されるようにＨＤＭＩ端子（図示せず）に、そしてデータ及び電源が送受信されるようにＵＳＢ端子（図示せず）に各々接続されることができる。しかし、これは一つの例示に過ぎず、第１接続部１１０及び第２接続部２１０の間の接続方式は、前述の実施形態以外にも多様な形態で具現されることができる。
【００６３】
第２映像処理部２２０は、ディスプレイ装置１００で第１映像処理部１２０によって行なわれる少なくとも一部の第１プロセスに対して、第１プロセスに対応する第２プロセスを行なうことができる。第１プロセス及び第２プロセスは、相互区別のために便宜上指して呼ぶことで、また一つの単位プロセスであることもできるし、複数の単位プロセスであることもできる。第２プロセスは、第１プロセスに比べて機能的に向上され、これはチップセットのようなハードウェアの改善や、またはアルゴリズム／実行コード／プログラムのようなソフトウェアの改善によって実現される。
【００６４】
第２映像処理部２２０は、ディスプレイ装置１００及びアップグレード装置２００の接続時に第１制御部１６０または第２制御部２６０の制御に従って、第１プロセスを代えて第２プロセスを行なう。このように、映像処理プロセスが行なわれることによって、第１プロセスより機能的に向上された第２プロセスが第１プロセスの代わりに行なわれることによって、結果的に全体的な映像処理プロセスの向上が可能である。これに対する詳しい実施形態に対しては後述する。
【００６５】
第２保存部２５０は、限定されないデータが保存される。第２保存部２５０は、フラッシュメモリー（ｆｌａｓｈ−ｍｅｍｏｒｙ）、ハードディスク ドライブ（ｈａｒｄ−ｄｉｓｋ  ｄｒｉｖｅ）のような非揮発性メモリーで具現される。第２保存部２５０は、第１制御部１６０または第２制御部２６０によりアクセスされ、これによるデータの読み取り／記録／修正／削除／更新などが行なわれる。一方、第１保存部１５０も具現方式によって第１制御部１６０だけでなく第２制御部２６０によってアクセスされることもできる。
【００６６】
第２制御部２６０は、全体的な映像処理プロセスを行なうためのディスプレイ装置１００及びアップグレード装置２００の間の接続動作を制御する。第２制御部２６０及び第１制御部１６０は、ＣＰＵで具現されることができるので、第２制御部２６０が第１制御部１６０より向上された機能を行なうことができれば第２制御部２６０は第１制御部１６０をディスエーブルさせ第１制御部１６０を代えてディスプレイシステム１全体の動作を制御することができる。または、第２制御部２６０は、第１制御部１６０と共にディスプレイシステム１全体の動作を制御することもできる。
【００６７】
以下、アップグレード装置２００によってディスプレイ装置１００をアップグレードする具体的な実施形態に対して図３を参照して説明する。図３は、本実施形態によるディスプレイシステム１でディスプレイ装置１００の映像処理プロセスをアップグレード装置２００によってアップグレードする方法を示すフローチャートである。
【００６８】
図３に示すように、ディスプレイ装置１００は、映像供給源３００からの所定の信号、例えば放送信号が受信されれば（４１１）、これを既設定されたシーケンスの映像処理プロセス（４１２、４１３、４１４）に従って処理する。図面に示す映像処理プロセス（４１２、４１３、４１４）の例示は本発明の実施形態をより簡潔に表現するように幾つかの例示だけを示すことで、実際にディスプレイ装置１００で具現される映像処理プロセスを全部示すことではないことを明らかにする。
【００６９】
ディスプレイ装置１００は、受信される放送信号を映像信号、音声信号及び追加データで分類するディマルチプレキシングを行なう（４１２）。ディスプレイ装置１００は、ディマルチプレキシングが行なわれた各信号に対する処理を行なうので、例えば映像信号を既設定された映像フォーマットでデコーディング処理する（４１３）。ディスプレイ装置１００は、デコーディングされた映像信号をディスプレイ部１３０に映像で表示するように所定解像度でスケーリングし（４１４）、スケーリングされた映像信号を映像で表示する（４１５）。
【００７０】
この一連のシーケンスの中で、アップグレード装置２００は、ディスプレイ装置１００のデコーディング プロセス（４１３）に対応するプロセス４２３を行うことができるように設けられる。アップグレード装置２００が行なわれることができるデコーディング プロセス（４２３）は、ディスプレイ装置１００が行なうことができるデコーディング プロセス（４１３）に比べてデコーディングという動作の側面では同一であるが、機能的にはさらに向上されたので、後者（４１３）の代わりに前者（４２３）が行なわれることが映像処理プロセスの向上のためには好ましい。
【００７１】
例えば、前者（４２３）では、後者（４１３）で処理できないレベル以上の解像度の映像信号を処理することができたり、後者（４１３）で処理できないフォーマットの映像信号を処理することができたり、後者（４１３）で適用されない付加的な効果が映像信号に適用されるように処理することができる。
【００７２】
従って、本実施形態による映像処理プロセスのシーケンスは、第１制御部１６０または第２制御部２６０の制御に従って、ディマルチプレキシング段階（４１２）以後にディスプレイ装置１００のデコーディング段階（４１３）を代えてアップグレード装置２００のデコーディング段階（４２３）が行なわれる。アップグレード装置２００のデコーディング段階（４２３）以後には、スケーリング段階（４１４）が行なわれる。
【００７３】
このようなシーケンスに従ってディスプレイ装置１００及びアップグレード装置２００の間には映像信号及び制御信号が相互間に送受信され、これは第１制御部１６０または第２制御部２６０の制御に従って行なわれる。
【００７４】
一方、映像処理プロセスの中で一部プロセスを代えた図３の場合と異なるように、アップグレード装置２００の第２映像処理部２２０がディスプレイ装置１００の第１映像処理部１２０を代える場合も可能であるので、これに対して以下の図４を参照して説明する。図４は、本実施形態によるディスプレイシステム１で、第１接続部１１０に受信される映像信号の送信過程を示す構成ブロック図である。
【００７５】
図４に示すように、アップグレード装置２００がディスプレイ装置１００に接続されていない場合、映像信号は、第１接続部１１０に受信されれば（４３１）、第１映像処理部１２０に伝達される（４３２）。第１映像処理部１２０は、映像信号を処理してディスプレイ部１３０に出力し（４３３）、これによって、ディスプレイ部１３０は第１映像処理部１２０によって処理された映像信号を映像で表示する。
【００７６】
一方、アップグレード装置２００がディスプレイ装置１００に接続されれば、映像信号は第１接続部１１０に受信されて（４３１）、第１映像処理部１２０でない第２映像処理部２２０に転送される（４３４）。第２映像処理部２２０は、第１映像処理部１２０の代わりに映像信号に対する映像処理プロセスを行い、第２映像処理部２２０によって処理された映像信号は再びディスプレイ装置１００に送信される（４３５）。
【００７７】
映像信号は、第１映像処理部１２０に伝達されないようにバイパス（ｂｙｐａｓｓ）されてディスプレイ部１３０に伝達され（４３６）、これによってディスプレイ部１３０は第２映像処理部２２０によって処理された映像信号を映像で表示する。
【００７８】
一方、ディスプレイ装置１００及びアップグレード装置２００の接続時、第２制御部２６０は、第１制御部１６０をティスエーブルさせ第１映像処理部１２０及び第２映像処理部２２０を制御することができる。または、第２保存部２５０に保存された運営体制が第１保存部１５０に保存された運営体制よりバージョンアップ（ｖｅｒｓｉｏｎ−ｕｐ）された場合、第１保存部１５０の運営体制を第２保存部２５０の運営体制でアップデートさせアップデートされた運営体制を駆動させたり、または第１保存部１５０の運営体制の代わりに第２保存部２５０の運営体制を駆動させる実施形態も可能である。
【００７９】
このような構成に従って、本実施形態によるアップグレード装置２００はディスプレイ装置１００をアップグレードさせることができる。
【００８０】
一方、前述した実施形態のようなディスプレイ装置１００及びアップグレード装置２００の構造によって、一つのアップグレード装置２００は複数のディスプレイ装置１００に対して交替されて使用されることもできる。図５は、一つのアップグレード装置２００が二つのディスプレイ装置１０１、１０２に選択的に接続される場合を示す例示図である。
【００８１】
図５に示すように、アップグレード装置２００は、アップグレード対象になる第１ディスプレイ装置１０１及び第２ディスプレイ装置１０２の中で何れか一つに対して、ユーザーによって選択的に接続されることができる。第１ディスプレイ装置１０１及び第２ディスプレイ装置１０２それぞれの細部構成は、前述した図２に関して説明したディスプレイ装置１００の構成を応用できるので、詳しい説明は省略する。
【００８２】
ユーザーがアップグレード装置２００を第１ディスプレイ装置１０１に接続させれば（Ａ）、アップグレード装置２００は第１ディスプレイ装置１０１をアップグレードさせる。第１ディスプレイ装置１０１に対するアップグレード装置２００のアップグレード関連動作が行なわれる間に、多様な環境設定情報が生成または変更される。
【００８３】
環境設定情報は、映像処理プロセスまたはこの映像処理プロセスに対するアップグレード動作時に参照される情報として、万一、アップグレード装置２００が接続されず、第１ディスプレイ装置１０１が単独で映像処理プロセスを処理する場合には第１ディスプレイ装置１０１に保存される。
【００８４】
環境設定情報は、ディスプレイシステム１で使用される多様なデータ／情報を含み、例えばユーザーのプロファイル情報、ユーザーが第１ディスプレイ装置１０１で設定した環境設定値、ユーザーが第１ディスプレイ装置１０１に設置したアプリケーション、放送チャンネルの目録などを含むことができる。即ち、環境設定情報は、特定種類で限定される情報やデータではなく、ディスプレイシステム１の動作に必要な諸般情報が対象になることができる。
【００８５】
また、環境設定情報は、例えばユーザーのプロファイルが変更されたり、表示映像の輝度レベルまたは音声出力レベルが変更されたり、新しいアプリケーションが設置されたり、またはすでに設置されているアプリケーションが削除されたり、ユーザーが好むチャンネルの目録が変更されるなど、多様な変更例示が可能である。
【００８６】
ディスプレイシステム１で使用されるこのような環境設定情報は、生成または変更されることによってアップグレード装置２００、さらに詳しくは、第２保存部２５０に保存される。環境設定情報の保存は、第２制御部２６０によって行なわれたり、または第１ディスプレイ装置１０１の第１制御部（図２の１６０参照）によって行なわれることができる。
【００８７】
万一、アップグレード装置２００及び第１ディスプレイ装置１０１の間の接続が解除された以後に再びアップグレード装置２００及び第１ディスプレイ装置１０１の間の再接続が行なわれる場合を考慮することができる（Ａ）。
【００８８】
アップグレード装置２００または第１ディスプレイ装置１０１は、各々識別情報を有しており、以前の接続段階で相手側の識別情報を取得した状態である。従って、アップグレード装置２００または第１ディスプレイ装置１０１が相手側が以前の接続段階時に接続された対象と同一であるか否かを判断することができる。
【００８９】
例えば、アップグレード装置２００は、すでに取得した識別情報が新しく接続された第１ディスプレイ装置１０１から取得した識別情報と同じなのか否かを判断し、同じな場合には、以前接続段階及び現在接続段階に全部同じ第１ディスプレイ装置１０１が接続されたと判断する。
【００９０】
または、第１ディスプレイ装置１０１は、すでに取得した識別情報が新しく接続されたアップグレード装置２００から取得した識別情報と同じなのか否かを判断し、同じな場合には、以前接続段階及び現在接続段階に全部同じアップグレード装置２００が接続されたと判断することができる。
【００９１】
この場合、アップグレード装置２００は既保存された環境設定情報に基づいてアップグレードを行なう。これによって、ディスプレイシステム１は、アップグレード装置２００及び第１ディスプレイ装置１０１の間の接続が一度解除された後に再接続された場合にも、ユーザーによって、変更された使用環境をそのままユーザーに再び提供することができる。
【００９２】
ところで、アップグレード装置２００及び第１ディスプレイ装置１０１の間の接続が解除された後、第１ディスプレイ装置１０１でない第２ディスプレイ装置１０２とアップグレード装置２００の接続が行なわれることもできる（Ｂ）。第２ディスプレイ装置１０２には映像処理プロセスの遂行のために参照される設定情報が既保存されている。
【００９３】
この場合、アップグレード装置２００は、以前に接続された第１ディスプレイ装置１０１から取得した識別情報と、新しく接続された第２ディスプレイ装置１０２から取得した識別情報を比較することによって、第２ディスプレイ装置１０２が第１ディスプレイ装置１０１と異なる装置であることを判断することができる。従って、アップグレード装置２００に保存された環境設定情報と第２ディスプレイ装置１０２に保存された環境設定情報は互いに異なる情報であることを判断することができる。
【００９４】
したがって、アップグレード装置２００が第２ディスプレイ装置１０２に対するアップグレードを行なうことにおいて、いかなる環境設定情報に基づいてアップグレードを行なうのか決める必要がある。
【００９５】
従って、本実施形態によれば、アップグレード装置２００は、アップグレード装置２００及び第２ディスプレイ装置１０２が接続されればアップグレード装置２００に保存された環境設定情報及び第２ディスプレイ装置１０２に保存された環境設定情報の中で何れか一つを選択するように設けられたＵＩ（ｕｓｅｒ  ｉｎｔｅｒｆａｃｅ）映像が第２ディスプレイ装置１０２に表示されるように制御する。また、アップグレード装置２００は、ＵＩ映像を通じて選択される環境設定情報に従って第２ディスプレイ装置１０２に対するアップグレードを行なう。
【００９６】
これによって、アップグレード装置２００が互いに異なるディスプレイ装置１０１、１０２に交替接続されても、アップグレード装置２００で提供する使用環境を各ディスプレイ装置１０１、１０２に共通に提供することができる。また、ＵＩ映像を提供することによって、アップグレード装置２００または各ディスプレイ装置１０１、１０２が提供する環境をユーザーに選択するようにすることができる。
【００９７】
本実施形態ではアップグレード装置２００によってディスプレイ装置１０１、１０２に対する接続時にＵＩ映像を表示しアップグレードが行なわれることで表現するが、本発明の思想はこれに限られず、動作の主体は設計方式に従ってアップグレード装置２００、第１ディスプレイ装置１０１、第２ディスプレイ装置１０２の中で何れか一つになることができる。
【００９８】
以下、アップグレード装置２００による第１ディスプレイ装置１０１のアップグレードの間に変更される環境設定情報を保存する方法に関して図６を参照して説明する。図６は、このような過程を示すフローチャートである。
【００９９】
図６に示すように、アップグレード装置２００及び第１ディスプレイ装置１０１が接続されれば（Ｓ１００）、アップグレード装置２００は第１ディスプレイ装置１０１に対するアップグレードを行なう（Ｓ１１０）。
【０１００】
（Ｓ１１０）段階で、アップグレード装置２００は、第１ディスプレイ装置１０１の識別情報を取得して保存することができる。
【０１０１】
このようなアップグレード遂行の間に環境設定情報が変更されれば（Ｓ１２０）、アップグレード装置２００は、この変更された環境設定情報をアップグレード装置２００に保存する（Ｓ１３０）。
【０１０２】
一方、図６のような過程が進行された状態で、アップグレード装置２００による第２ディスプレイ装置１０２のアップグレードのために環境設定情報を選択する方法に対して図７を参照して説明する。図７はこのような過程を示す制御フローチャートである。
【０１０３】
図７に示すように、アップグレード装置２００及び第２ディスプレイ装置１０２が接続されれば（Ｓ２００）、アップグレード装置２００は第２ディスプレイ装置１０２が以前接続された第１ディスプレイ装置１０１と同一なのか否かを判断する。このような判断は、第１ディスプレイ装置１０１及び第２ディスプレイ装置１０２それぞれの識別情報に基づいて行なわれることができる。
【０１０４】
アップグレード装置２００は、第１ディスプレイ装置１０１でない第２ディスプレイ装置１０２が接続されたと判断すれば、アップグレード装置２００に環境設定情報があるかを判断する（Ｓ２１０）。
【０１０５】
アップグレード装置２００に環境設定情報があれば、アップグレード装置２００は、アップグレード装置２００に保存された環境設定情報と第２ディスプレイ装置１０２に保存された環境設定情報が互いに異なるかを判断する（Ｓ２２０）。
【０１０６】
アップグレード装置２００及び第２ディスプレイ装置１０２それぞれの環境設定情報が異なると判断されれば、アップグレード装置２００はアップグレード装置２００の環境設定情報及び第２ディスプレイ装置１０２の環境設定情報の中で何れか一つを選択するように設けられたＵＩ映像５００(図８参照)を表示する（Ｓ２３０）。
【０１０７】
ユーザーはＵＩ映像５００を通じてアップグレード装置２００または第２ディスプレイ装置１０２の環境設定情報を選択することができる。何れか一つの環境設定情報が選択されれば（Ｓ２４０）、アップグレード装置２００は選択された環境設定情報に基づいてアップグレードを行なう（Ｓ２５０）。
【０１０８】
一方、（Ｓ２１０）段階で、アップグレード装置２００に環境設定情報が保存されていなければ、アップグレード装置２００は第２ディスプレイ装置１０２に保存されている環境設定情報に基づいてアップグレードを行なう（Ｓ２６０）。
【０１０９】
一方、（Ｓ２２０）段階で、アップグレード装置２００及び第２ディスプレイ装置１０２それぞれの環境設定情報が同一ならば、アップグレード装置２００はアップグレード装置２００に保存されている環境設定情報に基づいてアップグレードを行なう（Ｓ２７０）。
【０１１０】
このような過程に従って、アップグレード装置２００に保存された環境設定情報を各ディスプレイ装置１０１、１０２に対して適用して使うことができる。
【０１１１】
以上、多様な実施形態を通じて本発明に対して図示し説明したが、本発明はこれに限定されず、本発明の属する技術分野の通常の知識を有する人なら本発明の原則や精神に外れなく本発明の一実施形態を変形し得ることを分かることができる。発明の範囲は、特許請求の範囲とその均等物によって定まれる。
【符号の説明】
【０１１２】
１  ディスプレイシステム
１００、１０１、１０２  ディスプレイ装置
１１０  第１接続部
１２０  第１映像処理部
１３０  ディスプレイ部
１４０  ユーザー入力部
１５０  第１保存部
１６０  第１制御部
２００  アップグレード装置
２１０  第２接続部
２２０  第２映像処理部
２５０  第２保存部
２６０  第２制御部
【図１】
2013140571.tif 000003
【図２】
2013140571.tif 000004
【図３】
2013140571.tif 000005
【図４】
2013140571.tif 000006
【図５】
2013140571.tif 000007
【図６】
2013140571.tif 000008
【図７】
2013140571.tif 000009
【図８】
2013140571.tif 000010